(57)【特許請求の範囲】
【請求項１】
Ｘ線を発生する管球を含むモノタンクを内蔵し、かつ、前記Ｘ線を照射する表面である前面と、前記前面に対向する表面である後面と、前記前面と前記後面を接続する表面である側面と、有する本体と、
前記側面において前記本体から突出して設けられ、把持することにより前記本体を支持する１つの把持部と、
を備え、
前記本体の中心と、前記Ｘ線の照射方向と、を通る平面を用いて、前記本体の重心を含む重心側部分と前記重心を含まない非重心側部分とに前記本体を二分する場合に、前記重心側部分に前記把持部を有し、前記非重心側部分に前記把持部を有しないＸ線管装置。
【請求項２】
前記本体の重心は、前記前面と前記後面の中央にある請求項１に記載のＸ線管装置。
【請求項３】
Ｘ線を発生する管球を含むモノタンクを内蔵し、かつ、前記Ｘ線を照射する表面である前面と、前記前面に対向する表面である後面と、前記前面と前記後面を接続する表面である側面と、有する本体と、
前記側面において前記本体から突出して設けられ、把持することにより前記本体を支持する１つの把持部と、
を備え、
前記本体の中心と、前記Ｘ線の照射方向と、を通る平面を用いて、前記モノタンクの重心を含む重心側部分と前記重心を含まない非重心側部分とに前記本体を二分する場合に、前記重心側部分に前記把持部を有し、前記非重心側部分に前記把持部を有しないＸ線管装置。
【請求項４】
前記モノタンクの重心は、前記前面と前記後面の中央にある請求項３に記載のＸ線管装置。
【請求項５】
前記本体がバッテリを含む場合に、バッテリの重心が前記非重心側部分にある請求項１〜４のいずれか１項に記載のＸ線管装置。
【請求項６】
前記モノタンクの重心、前記本体の中心、及び、前記バッテリの重心が同一層内にある請求項５に記載のＸ線管装置。
【請求項７】
前記把持部は、前記本体と、１箇所または２箇所において前記本体と接続する請求項１〜６のいずれか１項に記載のＸ線管装置。
【請求項８】
前記把持部及び前記側面はループ形状を形成する請求項１〜７のいずれか１項に記載のＸ線管装置。
【請求項９】
Ｘ線の照射を指示するスイッチが、前記非重心側部分にある請求項１〜８のいずれか１項に記載のＸ線管装置。
【請求項１０】
前記前面及び前記後面が長方形である場合、前記把持部は、前記前面及び前記後面の短辺を含む前記本体の側面に設けられている請求項１〜９のいずれか１項に記載のＸ線管装置。
【発明の詳細な説明】
【技術分野】
【０００１】
本発明はＸ線管装置に関する。
【背景技術】
【０００２】
Ｘ線管装置には、Ｘ線管装置の位置または向き等を調節する際に把持する把持部が設けられる場合がある。特に、可搬型のＸ線管装置においては、使用時にＸ線管装置を人力で支持できるようにするために、本体の左右両側にそれぞれ把持部を設けた例がある（特許文献１）。
【先行技術文献】
【特許文献】
【０００３】
【特許文献１】ＷＯ２０１７／００６５３５  Ａ１
【発明の概要】
【発明が解決しようとする課題】
【０００４】
Ｘ線管装置は、Ｘ線を発生する管球等の重量物を内蔵するので、通常は、１つの把持部を把持してＸ線管装置を支持することが困難である。このため、従来のＸ線管装置の両側等の２箇所で支持して姿勢を維持する。また、従来のＸ線管装置にはないが、重心がＸ線管装置の中心（中央）にはない場合には、１つの把持部を把持してＸ線管装置を支持することは特に困難である。そこで、本発明は、１つの把持部を把持することにより必要な姿勢を維持しやすいＸ線管装置を提供することを目的とする。
【課題を解決するための手段】
【０００５】
本発明のＸ線管装置は、Ｘ線を発生する管球を含むモノタンクを内蔵し、かつ、Ｘ線を照射する表面である前面と、前面に対向する表面である後面と、前面と後面を接続する表面である側面と、有する本体と、側面において本体から突出して設けられ、把持することにより本体を支持する１つの把持部と、を備え、本体の中心と、Ｘ線の照射方向と、を通る平面を用いて、本体の重心を含む重心側部分と重心を含まない非重心側部分とに本体を二分する場合に、重心側部分に把持部を有し、非重心側部分に把持部を有しない。【０００６】
本体の重心は、前面と後面の中央にあることが好ましい。【０００７】
本発明の別のＸ線管装置は、Ｘ線を発生する管球を含むモノタンクを内蔵し、かつ、Ｘ線を照射する表面である前面と、前面に対向する表面である後面と、前面と後面を接続する表面である側面と、有する本体と、側面において本体から突出して設けられ、把持することにより本体を支持する１つの把持部と、を備え、本体の中心と、Ｘ線の照射方向と、を通る平面を用いて、モノタンクの重心を含む重心側部分と重心を含まない非重心側部分とに本体を二分する場合に、重心側部分に把持部を有し、非重心側部分に把持部を有しない。【０００８】
モノタンクの重心は、前面と後面の中央にあることが好ましい。【０００９】
本体がバッテリを含む場合に、バッテリの重心が非重心側部分にあることが好ましい。【００１０】
モノタンクの重心、本体の中心、及び、バッテリの重心が同一層内にあることが好ましい。【００１１】
把持部は、本体と、１箇所または２箇所において本体と接続することが好ましい。【００１２】
把持部及び側面はループ形状を形成することが好ましい。【００１３】
Ｘ線の照射を指示するスイッチが、非重心側部分にあることが好ましい。【００１４】
前面及び後面が長方形である場合、把持部は、前面及び後面の短辺を含む本体の側面に設けられていることが好ましい。
【発明の効果】
【００１５】
本発明は、１つの把持部を把持することにより必要な姿勢を維持しやすいＸ線管装置を提供することができる。
【図面の簡単な説明】
【００１６】
【図１】Ｘ線管装置の斜視図である。
【図２】Ｘ線管装置の斜視図である。
【図３】本体の内蔵物並びに本体の中心及び重心の位置を示す説明図である。
【図４】本体の中心及び重心を示す説明図である。
【図５】本体の重心の位置を示す説明図である。
【図６】本体の中心、本体の重心、及びモノタンクの重心を示す説明図である。
【図７】本体の中心、モノタンクの重心、及びバッテリの重心の位置を示す説明図である。
【図８】本体の中心、モノタンクの重心、及びバッテリの重心の位置を示す説明図である。
【図９】本体の中心、モノタンクの重心、及びバッテリの重心の位置を示す説明図である。
【図１０】Ｌ字型の把持部を有するＸ線管装置の正面図である。
【図１１】逆Ｌ字型の把持部を有するＸ線管装置の正面図である。
【発明を実施するための形態】
【００１７】
［第１実施形態］
図１及び図２に示すように、Ｘ線管装置１０は、本体１１、コリメータ２１、把持部３１、及び、スイッチ４１等を備える。
【００１８】
本体１１は、少なくともＸ線を発生する管球を含むモノタンク１７（図３参照）を内蔵する。本実施形態においては、本体１１は、ほぼ直方体形状である。ほぼ「直方体形状」とは、ほぼ平行な３組の平面によって外形を形成し、これら各組の面がほぼ９０度に接続することをいう。また、ほぼ「直方体形状」には、上記各組の面の接続部分を面取りし、または、上記各組の面を曲面で接続する場合を含む。
【００１９】
以下、Ｘ線管装置１０によるＸ線の照射方向Ｌ１をＺ方向といい、Ｚ方向にほぼ垂直な方向であって本体１１の長手方向をＸ方向といい、かつ、Ｚ方向及びＸ方向にほぼ垂直な方向であって本体１１の短手方向をＹ方向という。また、被検体（図示しない）を配置するＸ線の照射方向Ｌ１がＺ方向の正方向とし、本体１１の長手方向に沿って把持部３１を有する側をＸ方向の正方向とし、かつ、Ｙ方向の正方向は、Ｘ方向、Ｙ方向及びＺ方向がいわゆる右手系を構成するように定める。
【００２０】
本体１１の表面のうち被検体に面する表面、すなわちコリメータ２１がある表面が本体１１の前面１２である。したがって、本体１１の表面において、前面１２はＸ線を照射する表面である。そして、本体１１の表面のうち、前面１２に対向する前面１２にほぼ平行な表面が本体１１の後面１３である。後面１３には、Ｘ線管装置１０の設定または操作等をするための操作部１６を有する（図２参照）。本実施形態においては、操作部１６はタッチパネルであるが、ボタン、スイッチ、及び／またはディスプレイ等を用いて操作部１６を構成することができる。
【００２１】
本体１１の表面のうち、前面１２及び後面１３を接続する表面は本体１１の側面１４である。すなわち、本体１１の表面のうち前面１２及び後面１３を除く表面は側面１４である。本体１１がほぼ直方体である場合、側面１４は、互いに対向するほぼ平行な上面１４Ａ及び下面１４Ｂと、互いに対向するほぼ平行な右面１４Ｃ及び左面１４Ｄと、を有する。
【００２２】
上面１４Ａは、側面１４のうち、Ｘ線管装置１０をＹ方向負側から見た場合に視認し得る部分である。下面１４Ｂは、側面１４のうち、Ｘ線管装置１０をＹ方向負側から見た場合に視認し得る部分である。右面１４Ｃは、側面１４のうち、Ｘ線管装置１０をＸ方向正側から見た場合に視認し得る部分である。同様に、左面１４Ｄは、側面１４のうち、Ｘ線管装置１０をＸ方向負側からみた場合に視認し得る部分である。したがって、上面１４Ａは、右面１４Ｃ及び／または左面１４Ｄと一部重複する場合がある。同様に、下面１４Ｂは、右面１４Ｃ及び／または左面１４Ｄと一部重複する場合がある。右面１４Ｃは上面１４Ａ及び／または下面１４Ｂと一部重複する場合があり、かつ、左面１４Ｄは上面１４Ａ及び／または下面１４Ｂと一部重複する場合がある。なお、上記各面の定義において、コリメータ２１等の本体１１から突出する部分によって隠れる部分は「視認し得る部分」に含むものとする。
【００２３】
図３に示すように、本実施形態の本体１１は、モノタンク１７を内蔵する。モノタンク１７は、Ｘ線を発生する管球（図示しない）と、管球を動作させるための高電圧発生回路（図示しない）等と、を一体化したＸ線管である。本実施形態においては、モノタンク１７を用いているが、本体１１は、モノタンク１７の代わりに、管球及び高電圧発生回路等のモノタンク１７を構成する部品をそれぞれ独立に内蔵できる。この場合、一体化していない管球及び高電圧発生回路等の全体が、本実施形態のモノタンク１７に相当する。
【００２４】
本体１１は、Ｘ線を発生するモノタンク１７の他に、バッテリ１８、及び、制御回路１９等を内蔵する。バッテリ１８は、モノタンク１７及び制御回路１９等に動作に必要な電力を供給する。制御回路１９は、本体１１の動作を制御する。すなわち、制御回路１９は、モノタンク１７の管電圧、管電流、Ｘ線の発生（照射）タイミング等を制御する。本体１１には、バッテリ１８の代わりに、または、バッテリ１８の搭載に加えて、本体１１の各部に電力を供給する電源（図示しない）と接続するプラグ及びコード等を設けることができる。なお、モノタンク１７はＸ線を発生するＸ線管であるが、本体１１は、Ｘ線管であるモノタンク１７の代わりに、Ｘ線以外の放射線を発生する管球を搭載できる。この場合、Ｘ線管装置１０は、管球が発生する放射線の種類に応じて、いわゆる放射線発生装置を構成する。
【００２５】
以下、本体１１の中心Ｃ０（図において「×」印で示す）とＸ線の照射方向Ｌ１とを通る平面４０を用いて、本体１１の重心Ｇ１（図において「○」印で示す）を含む部分と本体１１の重心Ｇ１を含まない部分と、に本体１１を二分する場合、本体１１の重心Ｇ１を含む部分を重心側部分１１Ａといい、本体１１の重心Ｇ１を含まない非重心側部分１１Ｂという。本体１１の中心Ｃ０とは、本体１１の幾何学的な中心である。本実施形態においては、前面１２からの距離と後面１３からの距離とが等しく、上面１４Ａからの距離と下面１４Ｂからの距離とが等しく、かつ、右面１４Ｃからの距離と左面１４Ｄからの距離が等しい点が、本体１１の中心Ｃ０である。本体１１の重心とは、本体１１を形成する筐体のみならず、モノタンク１７等の内蔵物まで含めた重心である。また、図３及び図４に示すように、本実施形態においては、本体１１の重心Ｇ１は、本体１１の中心Ｃ０から右面１４Ｃ側にシフトした位置にある。
【００２６】
コリメータ２１は、本体１１の表面である前面１２の一部において本体１１からＸ線の照射方向Ｌ１（Ｚ方向）に突出して設けられ、照射範囲を整えたＸ線を照射する照射窓２３を有する。コリメータ２１を、本体１１の前面１２の「一部」において突出する形状としたのは、Ｘ線管装置１０を外形及び体積等のサイズを小型化するためである。本体１１の前面１２の全体を突出し、本体１１の内部にコリメータ２１を含む形状にすると、本体１１ひいてはＸ線管装置１０の全体の体積が大きくなる。Ｘ線の照射範囲とは、Ｘ線撮影パネル等に到達するＸ線の形状、面積、Ｘ線管装置１０に対する位置等である。モノタンク１７が発生するＸ線は円錐形状に広がるコーンビームであが、Ｘ線撮影パネルの撮影面は一般に長方形である。このため、コリメータ２１は、例えば、モノタンク１７が発生するコーンビームをＸ線撮影パネルの撮影面に合わせて四角錐形状に整え、照射窓２３から照射する。その結果、コリメータ２１は被検体の無駄な被爆を抑える。照射窓２３は、少なくともＸ線を無駄なく透過し得る材料で形成する。照射窓２３を有する表面は、コリメータ２１の前面２２である。なお、コリメータ２１は、Ｘ線の照射範囲を調整するために、１または複数のＸ線遮蔽部材（図示しない）を内蔵し、かつ、これらの内部配置（傾き等）を調整するための操作部（図示しない）を備える。
【００２７】
Ｘ線管装置１０全体の小型化のために、コリメータ２１の部分を小型化する場合には、コリメータ２１は、先端部よりも径が小さい基端部２１Ａを有する。コリメータ２１の基端部２１Ａとは本体１１の前面１２の側の部分であり、コリメータ２１の先端部とは被検体の側の部分である。コリメータ２１を小型化する場合に上記形状とするのは、Ｘ線が照射方向Ｌ１に向けて広がるからである。
【００２８】
把持部３１は、側面１４において本体１１から突出して設けられ、これを把持することにより本体１１（及びＸ線管装置１０の全体）を支持するためのハンドルである。把持部３１は、本体１１の右面１４Ｃ側にのみ１つだけ設けられている。すなわち、Ｘ線管装置１０は、重心側部分１１Ａに把持部３１を有し、非重心側部分１１Ｂには把持部３１を有しない。また、把持部３１は、本体１１に対して位置及び向き等は固定されている。すなわち、把持部３１は非可動である。把持部３１はＸ線管装置１０を持ち運びする場合だけでなく、Ｘ線管装置１０からＸ線を照射する場合にもこの把持部３１を把持してＸ線管装置１０の姿勢を維持するために使用するからである。ユーザは、この１つの把持部３１を把持することにより、例えば片手でも本体１１を撮影に必要な姿勢に支持し、かつ、その姿勢を容易に維持することができる。
【００２９】
把持部３１は、本体１１と１箇所または２箇所で接続する。本実施形態においては、把持部３１は、接続点３３Ａ及び接続点３３Ｂの２箇所において本体１１と接続する。このため、把持部３１、及び、本体１１の側面１４である右面１４Ｃは、ループ形状を形成する。接続点３３Ａは、本体１１の上面１４Ａ及び／または右面１４Ｃとの接続点である。接続点３３Ｂは、本体１１の下面１４Ｂ及び／または右面１４Ｃとの接続点である。
【００３０】
把持部３１は、接続点３３Ａと接続点３３Ｂの間にある平板部３２が標準の把持位置である。Ｘ線管装置１０を特殊な姿勢に維持する必要がない限り、通常は、平板部３２を把持することによってＸ線管装置１０の姿勢を撮影に必要な姿勢に容易に支持することができる。本実施形態においては、平板部３２は平板状であるが、任意の形状に平板部３２を形成してもよい。平板部３２は、例えば、曲線的に、または、より立体的なグリップ形状にできる。
【００３１】
スイッチ４１は、Ｘ線管装置１０に対して、Ｘ線の照射準備指示及び／またはＸ線の照射開始指示を入力する。本実施形態においては、スイッチ４１は、本体１１の前面１２の左端（Ｘ方向負側の端）、かつ、左面１４Ｄの前面１２側の端である本体１１の角部分に、すなわち非重心側部分１１Ｂの前面１２側の角に、着脱自在に設けられている。スイッチ４１は、有線または無線により本体１１と接続しており、本体１１に取り付けた状態はもちろん、本体１１から取り外した状態においても照射開始指示等を入力及びその他制御信号を送受信できる。また、スイッチ４１は、本体１１を介して、または、直接に、Ｘ線撮影パネルと同期信号を送信または受信することができ、Ｘ線管装置１０とＸ線撮影パネルとを同期制御することができる。動作について同期とは、特定の時間を遅延して動作する場合を含む。
【００３２】
スイッチ４１は、支持体４２と、押圧操作が可能なボタン４３と、を備える。スイッチ４１を本体１１に取り付けている場合には、支持体４２の表面は、前面１２及び左面１４Ｄ等の本体１１の表面と滑らかに接続する。このため、スイッチ４１は本体１１と一体化する。一方、スイッチ４１を本体１１から取り外した場合には、支持体４２はスイッチ４１を把持するための把持部となる。ボタン４３は、照射開始指示等を本体１１に入力する場合に押圧する。ボタン４３は例えばＸ線の照射準備指示を本体１１に入力する第１段階の押圧操作と、Ｘ線の照射が可能になった後、Ｘ線を実際に照射するために照射開始指示を入力するための第２段階の押圧操作と、の２段階の押圧操作ができる。
【００３３】
上記のように、Ｘ線管装置１０の把持部３１は１つであるが、この１つの把持部３１は、本体１１の重心Ｇ１を含む重心側部分１１Ａにある。このため、把持部３１を両手で把持する場合はもちろん、把持部３１を片手で把持する場合においても、本体１１ひいてはＸ線管装置１０の姿勢に容易に維持できる。把持部３１が重心側部分１１Ａにあることで非重心側部分１１Ｂにだけ把持部３１がある場合よりも把持部３１から重心Ｇ１までの距離が近いので、本体１１の姿勢を水平（上面１４Ａ及び下面１４Ｂを水平にする姿勢）等に保つために必要な力（例えば、把持位置を中心としたＸＹ面内方向の回転モーメントに対する抗力）が小さいからである。また、本体１１の中心Ｃ０に本体１１の重心Ｇ１がある場合と比較しても、Ｘ線管装置１０は本体１１の姿勢を保つために必要な力は小さい。把持部３１から本体１１の中心Ｃ０までの距離よりも、把持部３１から本体１１の重心Ｇ１までの距離が小さいからである。したがって、Ｘ線管装置１０は、本体１１の中心Ｃ０に本体１１の重心Ｇ１があるＸ線管装置よりも支持しやすい。
【００３４】
なお、上記のように、重心側部分１１Ａと非重心側部分１１Ｂのうち、一方の重心側部分１１Ａに１つだけ把持部３１を設ける場合、本体１１の重心Ｇ１は、前面１２と後面１３の中央にあることが好ましい。把持部３１を把持してＸ線管装置１０の姿勢を保つ場合に、本体１１の重心Ｇ１が前面１２側または後面１３側に偏心している場合と比較して、Ｘ線管装置１０の前後の回転モーメント（ＹＺ面内方向の回転モーメント）に対する抗力が小さいからである。本体１１の重心Ｇ１が「中央にある」とは、図５に示すように、本体１１を、前面１２と後面１３との間で３等分にスライスし、前面１２側から順にＳ１層、Ｓ２層、及びＳ３層とする場合に、本体の重心Ｇ１がＳ２層に含まれることをいう。また、本体１１の重心Ｇ１が「前面１２側にある」とは、本体１１の重心Ｇ１がＳ１層に含まれることをいい、本体１１の重心Ｇ１が「後面１３側にある」とは、本体１１の重心Ｇ１がＳ３層に含まれることをいう。
【００３５】
さらに、本体１１の重心Ｇ１は、Ｘ線管装置１０をＸ方向負側から見た場合に、把持部３１の平板部３２の幅Ｗ０の範囲内にあるとよい。本体１１の重心Ｇ１が平板部３２の幅Ｗ０の範囲外にある場合と比較して、Ｘ線管装置１０の前後の回転モーメントに対する抗力が小さいからである。
【００３６】
［第２実施形態］
上記第１実施形態においては、１つだけ設ける把持部３１の位置を、本体１１の重心Ｇ１を基準に定めているが、本体１１の重心Ｇ１の代わりに、モノタンク１７の重心Ｇ２（図６参照。図において「●」印で示す）を基準に把持部３１の位置を定めてもよい。すなわち、Ｘ線管装置１０は、本体１１の中心Ｃ０と、Ｘ線の照射方向Ｌ１と、を通る平面４０を用いて、モノタンク１７の重心Ｇ２を含む重心側部分１１Ａとモノタンク１７の重心Ｇ２を含まない非重心側部分１１Ｂとに本体１１を二分する場合に、重心側部分１１Ａに把持部３１を有し、非重心側部分１１Ｂに把持部３１を有しない構成とすることができる。なお、本体１１がモノタンク１７の代わりに、個別の管球及び高電圧発生回路等を含む場合、これらモノタンク１７を構成する要素全体の重心が、本実施形態における「モノタンク１７の重心Ｇ２」である。
【００３７】
モノタンク１７は、通常、本体１１の内蔵物のうち最大重量物であるから、通常は、図６に示すように、モノタンク１７の重心Ｇ２と本体１１の重心Ｇ１とはそれほど離れていない。このため、本体１１の重心Ｇ１、及び、モノタンク１７の重心Ｇ２が、実質的に本体１１の中心Ｃ０にある場合を除けば、モノタンク１７の重心Ｇ２を基準に定めた重心側部分１１Ａ及び非重心側部分１１Ｂと、本体１１の重心Ｇ１を基準に定めた重心側部分１１Ａ及び非重心側部分１１Ｂと、が相違することは殆どない。したがって、モノタンク１７の重心Ｇ２を基準としても、本体１１の重心Ｇ１を基準とした場合と実質的に同様の作用効果が得られる。
【００３８】
上記のように、モノタンク１７の重心Ｇ２の位置を用いて定めた重心側部分１１Ａと非重心側部分１１Ｂのうち、一方の重心側部分１１Ａに１つだけ把持部３１を設ける場合、モノタンク１７の重心Ｇ２は、前面１２と後面１３の中央にあることが好ましい。モノタンク１７の重心Ｇ２が「中央にある」とは、第１実施形態と同様に、本体１１を、前面１２と後面１３との間で３等分にスライスし、前面１２側からＳ１層、Ｓ２層、Ｓ３層とする場合に（図５参照）、モノタンク１７の重心Ｇ２がＳ２層に含まれることをいう。さらに、モノタンク１７の重心Ｇ２は、Ｘ線管装置１０をＸ方向負側から見た場合に、把持部３１の平板部３２の幅Ｗ０の範囲内にあるとよい。これらの理由及び作用は、第１実施形態と同様である。
【００３９】
上記のようにモノタンク１７の重心Ｇ２の位置を用いて定めた重心側部分１１Ａと非重心側部分１１Ｂのうち、一方の重心側部分１１Ａに１つだけ把持部３１を設ける場合、かつ、図７に示すように、本体１１がバッテリ１８を含む場合、バッテリ１８の重心Ｇ３が非重心側部分１１Ｂにあることが好ましい。本体１１にバッテリ１８を搭載する場合、バッテリ１８はモノタンク１７に次ぐ重量物であるから、バッテリ１８の搭載によって本体１１の重心Ｇ１が極端に偏心することを防ぐためである。バッテリ１８の重心Ｇ３が重心側部分１１Ａにあり、本体１１の外形から想像する重心と実際の本体１１の重心Ｇ１の相違が大きくなりすぎて使い難いからである。なお、バッテリ１８の重心Ｇ３が非重心側部分１１Ｂにあることが好ましいのは、第１実施形態の場合も同様である。すなわち、本体１１の重心Ｇ１を用いて定めた重心側部分１１Ａと非重心側部分１１Ｂのうち、一方の重心側部分１１Ａに１つだけ把持部３１を設ける場合、かつ、本体１１がバッテリ１８を含む場合（図３参照）、バッテリ１８の重心Ｇ３が非重心側部分１１Ｂにあることが好ましい。
【００４０】
また、モノタンク１７の重心Ｇ２、本体１１の中心Ｃ０、及び、バッテリ１８の重心Ｇ３（図において「◇」印で示す）は、同一層内にあることが好ましい。モノタンク１７の重心Ｇ２、本体１１の中心Ｃ０、及び、バッテリ１８の重心Ｇ３が「同一層内にある」とは、図８に示すように、本体１１を、上面１４Ａと下面１４Ｂとの間で３等分にスライスし、上面１４Ａ側から順にＴ１層、Ｔ２層、及びＴ３層とする場合に、モノタンク１７の重心Ｇ２、本体１１の中心Ｃ０、及び、バッテリ１８の重心Ｇ３がＴ２層に含まれることをいう。モノタンク１７の重心Ｇ２、本体１１の中心Ｃ０、及び、バッテリ１８の重心Ｇ３が同一層内にある場合、これらの重心Ｇ２及び重心Ｇ３のいずれかが上面１４Ａ側または下面１４Ｂ側に偏心している場合と比較して、把持部３１を把持してＸ線管装置１０の姿勢を保つ際に、Ｘ線管装置１０の左右の回転モーメント（ＸＹ面内方向の回転モーメント）に対する抗力が小さいからである。なお、モノタンク１７の重心Ｇ２、本体１１の中心Ｃ０、及び、バッテリ１８の重心Ｇ３が同一層内にあることが好ましいのは、本体１１の重心Ｇ１を基準に重心側部分１１Ａと非重心側部分１１Ｂを定める第１実施形態の場合も同様である。
【００４１】
バッテリ１８が小型であり、モノタンク１７に対して軽量である場合には、図９に示すように、モノタンク１７の重心Ｇ２の位置を用いて定めた重心側部分１１Ａと非重心側部分１１Ｂのうち、一方の重心側部分１１Ａに１つだけ把持部３１を設ける場合においても、バッテリ１８の重心Ｇ３は、例えばＴ３層にあってもよい。モノタンク１７に対してバッテリ１８が軽量であって、バッテリ１８の重心Ｇ３を無視しても、本体１１の重心Ｇ１とモノタンク１７の重心Ｇ２がほぼ同じ位置にある場合には、把持部３１を把持する際のバッテリ１８による左右方向の回転モーメントも無視し得るからである。
【００４２】
なお、上記第１実施形態及び第２実施形態においては、把持部３１は、接続点３３Ａと接続点３３Ｂの２箇所において本体１１と接続することにより、把持部３１及び本体１１の側面１４はループ形状を形成するが、この形状の把持部３１はＸ線管装置１０の取り落とし防ぎ易い。誤って把持部３１を離しそうになっても、ループ形状に手が引っかかるためである。
【００４３】
また、上記第１実施形態及び第２実施形態の把持部３１の代わりに、図１０に示すように、平板部３２が接続点３３Ｂの１箇所で本体１１と接続し、平板部３２の他端は本体１１と接続しない、Ｌ字型の把持部１３１を設けても良い。このＬ字型の把持部１３１は、診療台等に置いたＸ線管装置１０を持ち上げやすく、また、把持していたＸ線管装置１０を診療台等に置きやすい。上面１４Ａ側が開口しているので、把持部１３１に手が引っかからないからである。
【００４４】
また、上記第１実施形態及び第２実施形態の把持部３１の代わりに、図１１に示すように、平板部３２が接続点３３Ａの１箇所で本体１１と接続し、平板部３２の他端は本体１１と接続しない、逆Ｌ字型の把持部１３２を設けても良い。この逆Ｌ字型の把持部１３２は、Ｘ線管装置１０を正姿勢（Ｙ方向正側を鉛直上方に向ける姿勢）で使用する場合に、取り落とし防ぎ易く、診療台等に置いたＸ線管装置１０を持ち上げやすく、かつ、把持していたＸ線管装置１０を診療台等に置きやすい。上面１４Ａ側が閉じ、かつ、下面１４Ｂ側が開口しているからである。
【００４５】
上記第１実施形態及び第２実施形態においては、スイッチ４１を非重心側部分１１Ｂに設けているが、これは、ユーザが把持部３１（または上記変形例の把持部１３１もしくは把持部１３２。以下同じ。）を把持する手と逆側の手でスイッチ４１を操作するためである。このように、スイッチ４１を非重心側部分１１Ｂに設けておくと、Ｘ線管装置１０を、デジタルカメラ等の一般に使い慣れた撮影装置と同様の使用感で使うことができる。このため、ユーザの練度等によっては、Ｘ線の照射位置等を、従来のＸ線管装置よりも容易にかつ微細に調整できる場合がある。
【００４６】
なお、上記第１実施形態及び第２実施形態のように、本体１１が直方体形状であって、本体１１の前面１２及び後面１３が長方形である場合には、把持部３１は、本体１１の前面１２及び後面１３の短辺を含む本体１１の側面１４（上記第１実施形態及び第２実施形態においては右面１４Ｃまたは左面１４Ｄ）に設けられていることが好ましい。このように、前面１２及び後面１３の短辺に沿って把持部３１を設ける場合、前面１２及び後面１３の長辺に沿って把持部３１を設ける場合と比較して、平板部３２が相対的に短いので、平板部３２の中でも本体１１を支持し易い位置をほぼ自動的に把持できるからである。
【符号の説明】
【００４７】
１０  Ｘ線管装置
１１  本体
１１Ａ  重心側部分
１１Ｂ  非重心側部分
１２  前面
１３  後面
１４  側面
１４Ａ  上面
１４Ｂ  下面
１４Ｃ  右面
１４Ｄ  左面
１６  操作部
１７  モノタンク
１８  バッテリ
１９  制御回路
２１  コリメータ
２１Ａ  基端部
２２  前面
２３  照射窓
３１、１３１、１３２  把持部
３２  平板部
３３Ａ、３３Ｂ  接続点
４０  平面
４１  スイッチ
４２  支持体
４３  ボタン
Ｃ０  本体の中心
Ｇ１  本体の重心
Ｇ２  線管の重心
Ｇ３  バッテリの重心
Ｌ１  Ｘ線の照射方向
Ｓ１，Ｓ２，Ｓ３，Ｔ１，Ｔ２，Ｔ３  層
Ｗ０  把持部の幅
【図１】
0006883707.tif 000002
【図２】
0006883707.tif 000003
【図３】
0006883707.tif 000004
【図４】
0006883707.tif 000005
【図５】
0006883707.tif 000006
【図６】
0006883707.tif 000007
【図７】
0006883707.tif 000008
【図８】
0006883707.tif 000009
【図９】
0006883707.tif 000010
【図１０】
0006883707.tif 000011
【図１１】
0006883707.tif 000012